(57)【要約】【課題】給紙部からの印刷用紙の給紙と反転部からの片面印刷済用紙の給紙とを交互に行って両面印刷を行う印刷装置において、生産性の低下を招くことなく、後処理に要する時間を考慮した給紙制御を行う。【解決手段】給紙部２３によって給紙された印刷用紙に印刷処理を施し、その片面印刷済用紙を反転部２６によって表裏反転した片面印刷済用紙に印刷処理を施して両面印刷処理を行う印刷部と、給紙部２３からの印刷用紙への印刷処理と片面印刷済用紙への印刷処理とが交互に繰り返されるように制御する制御部２７と、各両面印刷済用紙の後処理時間を取得する後処理時間取得部２８と、両面印刷済用紙毎の後処理時間に基づいて給紙部２３からの印刷用紙の給紙間隔を設定するとともに、上記後処理時間に基づいて給紙部２３からの印刷用紙と片面印刷済用紙との用紙間隔を算出する給紙タイミング設定部２９とを備える。【選択図】図２
2014073630.tif 000002
【特許請求の範囲】
【請求項１】
印刷用紙を一枚ずつ給紙する給紙部と、
該給紙部によって給紙された印刷用紙の一方の面に対して印刷処理を施し、該片面印刷済用紙を反転部によって表裏反転させた後、該反転された片面印刷済用紙の他方の面に対して印刷処理を施して両面印刷処理を行う印刷部と、
該印刷部において前記両面印刷を行う際、前記給紙部から給紙された印刷用紙の一方の面に対する印刷処理と前記片面印刷済用紙の他方の面に対する印刷処理とが交互に繰り返して行われるように前記給紙部および前記印刷部を制御する制御部と、
前記印刷部の下流に接続された後処理装置において前記両面印刷済の各印刷用紙に対して施される後処理に要する後処理時間を取得する後処理時間取得部と、
該後処理時間取得部によって取得された両面印刷済用紙毎の後処理時間に基づいて前記給紙部から給紙される印刷用紙の給紙間隔を設定するとともに、前記両面印刷済用紙毎の後処理時間に基づいて前記給紙部から給紙される印刷用紙と前記片面印刷済用紙との用紙間隔を算出し、該用紙間隔に基づいて前記片面印刷済用紙の給紙タイミングを設定する給紙タイミング設定部とを備えたことを特徴とする印刷装置。
【請求項２】
前記後処理時間取得部によって取得された両面印刷済用紙毎の後処理時間のうちの少なくとも２つが互いに異なる場合には、
前記給紙タイミング設定部が、前記互いに異なる各後処理時間に基づいて、該各後処理時間に対応する前記用紙間隔をそれぞれ算出し、該算出した複数の用紙間隔の中から、該各用紙間隔を用いて算出された前記給紙間隔と該給紙間隔に対応する前記後処理時間との差の合計が最小となるような前記用紙間隔を選択し、該選択した用紙間隔に基づいて前記給紙部から給紙される印刷用紙と前記片面印刷済用紙の給紙タイミングを設定するものであることを特徴とする請求項１記載の印刷装置。
【請求項３】
前記後処理時間取得部によって取得された両面印刷済用紙毎の後処理時間が全て同じ場合には、
前記給紙タイミング設定部が、前記後処理時間を前記給紙部から給紙される印刷用紙の給紙間隔として設定するとともに、前記後処理時間に基づいて前記用紙間隔を設定するものであることを特徴とする請求項１または２記載の印刷装置。
【請求項４】
前記後処理時間取得部が、前記後処理装置に予め記憶された前記後処理時間を取得するものであることを特徴とする請求項１から３いずれか１項記載の印刷装置。
【発明の詳細な説明】
【技術分野】
【０００１】
本発明は、後処理装置が接続される印刷装置に関するものであり、特に、印刷装置における印刷用紙の給紙制御に関するものである。
【背景技術】
【０００２】
近年、印刷装置の下流側に後処理装置を接続し、印刷装置において印刷処理の施された印刷済用紙に対して種々の後処理を施す印刷システムが提案されている。後処理装置において施される後処理としては、たとえばステープル処理やパンチ処理などがある。
【０００３】
このような印刷システムにおいて印刷済用紙に後処理を施す場合には、後処理装置においてその処理内容に応じた時間を要する。したがって、印刷装置から後処理装置に印刷済用紙を受け渡す際には、上述した処理内容に応じた時間だけ確保する必要がある。ただし、印刷装置から後処理装置に印刷済用紙を受け渡すまでの時間をあまり長くし過ぎると生産性の低下を招くおそれがある。
【０００４】
一方、上述したような後処理装置に接続される印刷装置として、両面印刷を行う印刷装置も用いられる。両面印刷を行う印刷装置としては、たとえば、印刷装置の給紙部から給紙された印刷用紙の一方の面に対して印刷処理を施し、その片面印刷済用紙を反転部によって表裏反転させた後、その反転された片面印刷済用紙の他方の面に対して印刷処理を施して両面印刷処理を行うものが提案されている。
【０００５】
このような両面印刷を行う印刷装置においては、生産性を向上させるため、給紙部から給紙される印刷用紙間において、反転部において表裏反転された片面印刷済用紙を挿入する方法が提案されている。すなわち、両面印刷の際には、図４に示すように、給紙部から給紙される１枚目の印刷用紙と２枚目の印刷用紙と用紙間において、１枚の印刷用紙の用紙送り時間Ｔｐと用紙間隔Ｔｇとを確保し、この用紙送り時間Ｔｐの間に、反転部において表裏反転された片面印刷済用紙を挿入する方法が提案されている。
【先行技術文献】
【特許文献】
【０００６】
【特許文献１】特許第２５８８８９４号公報
【特許文献２】特許第４４６５６０２号公報
【発明の概要】
【発明が解決しようとする課題】
【０００７】
ここで、図４に示すような給紙制御を行って両面印刷を行う印刷装置に後処理装置を接続して後処理を施す場合においても、上述したように後処理に要する時間を考慮して給紙制御を行う必要がある。
【０００８】
そして、印刷装置から後処理装置に受け渡される印刷済用紙の間隔は、図４に示す給紙間隔Ｔｂとなるため、たとえば、後処理に要する時間が、図４に示す給紙間隔Ｔｂよりも長い場合には、図１２に示すように、図４に示す給紙間隔Ｔｂを整数倍して給紙間隔Ｔｄ１に変更することが考えられる。
【０００９】
しかしながら、上述したように給紙間隔Ｔｂを整数倍して給紙間隔を変更するようにしたのでは、変更後の給紙間隔と後処理に要する時間との差が大きくなる場合があり、そのような場合、生産性の低下を招いてしまう。
【００１０】
なお、特許文献１においては、両面印刷の際に給紙間隔を制御することが開示されているが、上述したような後処理に要する時間を考慮した給紙制御については何も提案されていない。
【００１１】
また、特許文献２においては、後処理装置における後処理に要する時間を用紙排出間隔として取得するとともに、先行用紙が印刷されてから後処理装置に排出されるまでの第１の用紙排出時間と後続用紙が印刷されてから後処理装置に排出されるまでの第２の用紙排出時間との差分を取得し、上述した用紙排出間隔を上記差分で補正した間隔に基づいて先行用紙と後続用紙との給紙タイミングを制御することが提案されている。しかしながら、特許文献２には、上述したような給紙部からの印刷用紙の給紙と反転部からの片面印刷済用紙の給紙とを交互に行う給紙制御方法において、後処理に要する時間を考慮して生産性の低下を招くことなく給紙制御する方法については何も提案されていない。
【００１２】
本発明は、上記事情に鑑み、上述したような給紙部からの印刷用紙の給紙と反転部からの片面印刷済用紙の給紙とを交互に行って両面印刷を行う印刷装置において、生産性の低下を招くことなく、後処理に要する時間を考慮した給紙制御を行うことができる印刷装置を提供することを目的とするものである。
【課題を解決するための手段】
【００１３】
本発明の印刷装置は、印刷用紙を一枚ずつ給紙する給紙部と、給紙部によって給紙された印刷用紙の一方の面に対して印刷処理を施し、その片面印刷済用紙を反転部によって表裏反転させた後、その反転された片面印刷済用紙の他方の面に対して印刷処理を施して両面印刷処理を行う印刷部と、印刷部において両面印刷を行う際、給紙部から給紙された印刷用紙の一方の面に対する印刷処理と片面印刷済用紙の他方の面に対する印刷処理とが交互に繰り返して行われるように給紙部および印刷部を制御する制御部と、印刷部の下流に接続された後処理装置において両面印刷済の各印刷用紙に対して施される後処理に要する後処理時間を取得する後処理時間取得部と、後処理時間取得部によって取得された両面印刷済用紙毎の後処理時間に基づいて給紙部から給紙される印刷用紙の給紙間隔を設定するとともに、両面印刷済用紙毎の後処理時間に基づいて給紙部から給紙される印刷用紙と片面印刷済用紙との用紙間隔を算出し、その用紙間隔に基づいて片面印刷済用紙の給紙タイミングを設定する給紙タイミング設定部とを備えたことを特徴とする。
【００１４】
また、上記本発明の印刷装置においては、後処理時間取得部によって取得された両面印刷済用紙毎の後処理時間のうちの少なくとも２つが互いに異なる場合に、給紙タイミング設定部を、互いに異なる各後処理時間に基づいて、その各後処理時間に対応する用紙間隔をそれぞれ算出し、その算出した複数の用紙間隔の中から、その各用紙間隔を用いて算出された上記給紙間隔とその給紙間隔に対応する後処理時間との差の合計が最小となるような用紙間隔を選択し、その選択した用紙間隔に基づいて給紙部から給紙される印刷用紙と片面印刷済用紙の給紙タイミングを設定するものとできる。
【００１５】
また、後処理時間取得部によって取得された両面印刷済用紙毎の後処理時間が全て同じ場合に、給紙タイミング設定部を、後処理時間を給紙部から給紙される印刷用紙の給紙間隔として設定するとともに、後処理時間に基づいて用紙間隔を設定するものとできる。
【００１６】
また、後処理時間取得部を、後処理装置に予め記憶された後処理時間を取得するものとできる。
【発明の効果】
【００１７】
本発明の印刷装置によれば、給紙部によって給紙された印刷用紙の一方の面に対して印刷処理を施し、その片面印刷済用紙を反転部によって表裏反転させた後、その反転された片面印刷済用紙の他方の面に対して印刷処理を施して両面印刷処理を行うとともに、給紙部から給紙された印刷用紙の一方の面に対する印刷処理と片面印刷済用紙の他方の面に対する印刷処理とを交互に繰り返して行う印刷装置において、印刷部の下流に接続された後処理装置において両面印刷済の各印刷用紙に対して施される後処理に要する後処理時間を取得し、その取得した両面印刷済用紙毎の後処理時間に基づいて給紙部から給紙される印刷用紙の給紙間隔を設定するとともに、両面印刷済用紙毎の後処理時間に基づいて給紙部から給紙される印刷用紙と片面印刷済用紙との用紙間隔を算出し、その用紙間隔に基づいて片面印刷済用紙の給紙タイミングを設定するようにしたので、上述したような後処理時間に基づいて図４に示す給紙間隔Ｔｂを整数倍して給紙間隔を変更する方法と比較すると、給紙部から給紙される印刷用紙と片面印刷済用紙との用紙間隔を最適化することができるので、生産性の向上を図ることができる。
【００１８】
また、上記本発明の印刷装置において、後処理時間取得部によって取得された両面印刷済用紙毎の後処理時間のうちの少なくとも２つが互いに異なる場合に、その互いに異なる各後処理時間に基づいて、その各後処理時間に対応する用紙間隔をそれぞれ算出し、その算出した複数の用紙間隔の中から、その各用紙間隔を用いて算出された上記給紙間隔とその給紙間隔に対応する後処理時間との差の合計が最小となるような用紙間隔を選択し、その選択した用紙間隔に基づいて給紙部から給紙される印刷用紙と片面印刷済用紙の給紙タイミングを設定するようにした場合には、各両面印刷済用紙毎に異なる後処理時間に対してより最適な用紙間隔を選択することができ、より生産性の向上を図ることができる。
【図面の簡単な説明】
【００１９】
【図１】本発明の印刷システムの一実施形態の全体概略構成を示す図
【図２】図１に示す封書作成システムの制御系の一部を示すブロック図
【図３】「片面印刷、後処理なし」の印刷条件における給紙制御を説明するための図
【図４】「両面印刷、後処理なし」の印刷条件における給紙制御を説明するための図
【図５】「片面印刷、後処理あり」の印刷条件における給紙制御を説明するための図
【図６】「両面印刷、後処理あり」の印刷条件であって、各印刷済用紙の後処理時間が同じ場合における給紙制御を説明するための図
【図７】「両面印刷、後処理あり」の印刷条件であって、各印刷済用紙の後処理時間が異なる場合における給紙制御を説明するための図
【図８】片面印刷時で３枚のステープル処理を行う場合において、印刷済用紙毎に行われる処理を説明するための図
【図９】本発明の一実施形態を用いて給紙間隔および用紙間隔を設定した場合の具体的な例を説明するための図
【図１０】各印刷用紙の給紙間隔を２×（Ｔｐ（用紙送り時間）＋Ｔｇ（標準用紙間隔））の整数倍で変更した場合の具体的な例を説明するための図
【図１１】本発明の一実施形態を用いて給紙間隔および用紙間隔を設定した場合の後処理時間に対する生産性の変化と、各印刷用紙の給紙間隔を２×（Ｔｐ（用紙送り時間）＋Ｔｇ（標準用紙間隔））の整数倍で変更した場合の後処理時間に対する生成性の変化とを示す図
【図１２】各印刷用紙の給紙間隔を２×（Ｔｐ（用紙送り時間）＋Ｔｇ（標準用紙間隔））の整数倍で変更した場合を説明するための図
【発明を実施するための形態】
【００２０】
以下、図面を参照して本発明の印刷装置の一実施形態を用いた印刷システムについて詳細に説明する。本実施形態の印刷システムは、印刷装置における給紙タイミングの制御方法に特徴を有するものであるが、まずは、システム全体の構成について説明する。図１は、本実施形態の印刷システム１の全体の概略構成図である。
【００２１】
本実施形態の印刷システム１は、図１に示すように、コンピュータ１０と、コンピュータ１０に有線または無線ＬＡＮなどのネットワークを介して接続された印刷装置２０と、印刷装置２０において印刷処理の施された印刷用紙に対して後処理を施す後処理装置３０とを備えている。
【００２２】
コンピュータ１０は、印刷用紙に印刷される画像データを編集可能に構成されたものであり、この画像データを含む印刷ジョブデータを生成し、その印刷ジョブデータを印刷装置２０に出力するものである。この印刷ジョブデータには、上述した画像データの他に、両面印刷または片面印刷を示す情報や、用紙サイズを示す情報や、後処理の内容を示す情報なども含まれている。
【００２３】
印刷装置２０は、コンピュータ１０から出力された印刷ジョブデータに基づいて、印刷用紙に対して印刷処理を施すものである。印刷装置２０は、印刷用紙に対してインクを吐出するインクヘッド部２１を備えている。インクヘッド部２１は、コンピュータ１０から出力された印刷ジョブデータに含まれる画像データに基づいて、印刷用紙に対してインクを吐出することによって印刷処理を施すものである。本実施形態のインクヘッド部２１は、ブラックＫ、シアンＣ、マゼンダＭ、イエローＹの各色のインクを吐出する複数のライン型のインクヘッドを備えるものである。
【００２４】
また、印刷装置２０は、印刷用紙が設置される給紙トレイ２２と、給紙トレイ２２に設置された印刷用紙を取り出して給紙する給紙部２３とを備えている。給紙トレイ２２には、種々の用紙種類、用紙サイズの印刷用紙が設置される。印刷装置２０において印刷処理が行われる際には、給紙トレイ２２に設置された印刷用紙が、ピックローラなどを備えた給紙部２３によってピックアップされて後述する循環搬送路２４に給紙される。
【００２５】
また、印刷装置２０は、給紙部２３によって給紙された印刷用紙を搬送する循環搬送路２４を備えている。循環搬送路２４は、搬送ローラや搬送ベルトから構成されるものであり、給紙トレイ２２から給紙された印刷用紙をインクヘッド部２１の上流側から下流側に向けて搬送するものである。
【００２６】
また、循環搬送路２４は、片面印刷の際には、インクヘッド部２１において一方の面に印刷処理の施された印刷用紙をそのまま連絡路２５を介して後処理装置３０に受け渡すものであり、両面印刷の際には、片面の印刷処理が終了した印刷用紙を反転部２６まで搬送し、反転部２６において表裏反転された片面印刷済用紙を再びインクヘッド部２１の上流側から下流側へ搬送し、その後、インクヘッド部２１において再び印刷処理の施された両面印刷済用紙を連絡路２５を介して後処理装置３０に受け渡すものである。なお、本実施形態におけるインクヘッド部２１および循環搬送路２４が、請求項における印刷部に相当するものである。
【００２７】
後処理装置３０は、印刷装置２０から受け渡された印刷済用紙に対して所定の後処理を施すものである。後処理装置３０における後処理としては、たとえば複数枚の印刷済用紙をステープルで綴じるステープル処理や、部単位でオフセットを付けて排紙トレイに排出するオフセット処理、印刷済用紙に対して穴開け処理を施すパンチ処理や、印刷済用紙を三つ折りしたり、二つ折りしたりする折り処理や、印刷済用紙を用いて製本を行う製本処理などがある。なお、これらの後処理を行うための具体的な機構については既に公知な機構を利用することができ、ここでは詳細な説明は省略する。
【００２８】
次に、本実施形態の印刷システム１における制御系について、図２を参照しながら説明する。
【００２９】
印刷装置２０は、図２に示すように、印刷装置２０全体を制御する制御部２７を備えている。制御部２７は、給紙部２３による印刷用紙の給紙タイミングや、循環搬送路２４による印刷用紙の搬送や、インクヘッド部２１からのインクの吐出などを制御するものである。
【００３０】
また、印刷装置２０は、印刷装置２０から排紙された印刷済用紙に対して後処理を行う場合、その後処理に要する後処理時間を取得する後処理時間取得部２８と、後処理時間取得部２８によって取得された後処理時間に基づいて、後処理を行う場合における給紙部２３による印刷用紙の給紙タイミングを算出する給紙タイミング設定部２９とを備えている。後処理時間取得部２８によって取得される後処理時間は、後述する後処理装置３０の後処理時間記憶部３２に予め記憶されたものである。そして、その予め記憶された後処理時間が読み出されて後処理装置３０から印刷装置２０に出力される。
【００３１】
なお、給紙タイミング設定部２９における後処理時間に基づく給紙タイミングの算出方法や、その算出した給紙タイミングに基づく給紙部２３からの給紙制御については、後で詳述する。
【００３２】
後処理装置３０は、後処理装置３０全体を制御する制御部３１と、後処理装置３０における後処理に要する時間が予め記憶された後処理時間記憶部３２とを備えている。後処理時間記憶部３２は、後処理装置３０によって受け入れられる各印刷済用紙毎の後処理時間を記憶するものである。たとえば後処理がステープル処理である場合には、各印刷済用紙が後処理装置３０に受け入れられた際に行われる処理が印刷済用紙毎にそれぞれ異なるため、各印刷済用紙毎にそれぞれ異なる後処理時間が予め記憶されることになる。後処理がステープル処理である場合において、各印刷済用紙が受け入れた際に行われる処理としては、たとえば整合板の移動処理、整合処理、留め処理の３つの処理があり、これらの処理に要する時間が各印刷済用紙に対応させて記憶される。
【００３３】
一方、後処理がパンチ処理である場合には、各印刷済用紙が後処理装置３０に受け入れられた際に行われる後処理は各印刷済用紙で同じであるため、その共通の後処理時間が記憶されることになる。
【００３４】
後処理時間記憶部３２に記憶された印刷済用紙毎の後処理時間は印刷装置２０に出力され、印刷装置２０の後処理時間取得部２８によって取得される。
【００３５】
次に、本実施形態の印刷システム１の作用について説明する。なお、本実施形態の印刷システム１は、上述したとおり印刷装置２０における印刷用紙の給紙タイミングの制御方法に特徴を有するものであるため、以下、その点を中心に説明する。
【００３６】
本実施形態の印刷システム１は、上述したとおり片面印刷と両面印刷とが可能であり、また、これらの印刷を行った印刷済用紙に対してそれぞれ後処理を施すことができるものである。すなわち、本実施形態の印刷システム１における印刷条件としては、「片面印刷、後処理なし」、「両面印刷、後処理なし」、「片面印刷、後処理あり」および「両面印刷、後処理あり」の４つの印刷条件がある。したがって、これらの各印刷条件の場合における印刷装置２０の給紙制御についてそれぞれ説明する。
【００３７】
まず、「片面印刷、後処理なし」の印刷条件の場合には、図３に示すように、給紙部２３から給紙間隔Ｔａで各印刷用紙が給紙されるように制御される。給紙間隔Ｔａは、用紙送り時間Ｔｐと標準用紙間隔Ｔｇとを加算した間隔である。用紙送り時間Ｔｐは、１枚の印刷用紙の搬送方向の長さを循環搬送路２４の搬送速度で除算した値である。この時間は、印刷ジョブデータに含まれる用紙サイズの情報に基づいて設定される。また、標準用紙間隔Ｔｇは予め設定された用紙間隔であって、本実施形態においては、循環搬送路２４によって搬送した際、印刷用紙同士が衝突しない最短間隔である６０ｍｓが設定されている。
【００３８】
次に、「両面印刷、後処理なし」の印刷条件の場合には、図４に示すように、給紙部２３から給紙間隔Ｔｂで各印刷用紙が給紙されるように制御される。給紙間隔Ｔｂは、上述した「片面印刷、後処理なし」の印刷条件における給紙間隔Ｔａの２倍の間隔である。給紙部２３から給紙される印刷用紙間において、１枚の印刷用紙の用紙送り時間Ｔｐと標準用紙間隔Ｔｇとが確保されているが、この用紙送り時間Ｔｐの間に、循環搬送路２４の反転部２６において表裏反転された片面印刷済用紙が挿入されて搬送される。すなわち、本実施形態は、両面印刷の際には、給紙部２３からの未印刷の印刷用紙の給紙と、循環搬送路２４の反転部２６からの片面印刷済用紙の給紙とが交互に行われる。
【００３９】
次に、「片面印刷、後処理あり」の印刷条件の場合には、図５に示すように、給紙部２３から給紙間隔Ｔｃ１，Ｔｃ２，Ｔｃ３で各印刷用紙が給紙されるように制御される。給紙間隔Ｔｃ１〜Ｔｃ３は、各印刷用紙の後処理時間Ｔｆ１〜Ｔｆ３と同じ間隔であり、Ｔｃ１＝Ｔｆ１、Ｔｃ２＝Ｔｆ２、Ｔｃ３＝Ｔｆ３である。具体的には、各印刷用紙の後処理時間Ｔｆ１〜Ｔｆ３が、後処理装置３０の後処理時間記憶部３２から読み出されて印刷装置２０に出力され、印刷装置２０の後処理時間取得部２８によって取得される。そして、後処理時間取得部２８によって取得された各印刷用紙毎の後処理時間Ｔｆ１〜Ｔｆ３は、給紙タイミング設定部２９に入力され、給紙タイミング設定部２９は、入力された後処理時間Ｔｆ１〜Ｔｆ３を各印刷用紙の給紙間隔Ｔｃ１〜Ｔｃ３として設定する。なお、後処理時間Ｔｆ１〜Ｔｆ３は、全て同じものであってもよいし、異なるものであってもよい。ただし、後処理時間Ｔｆ１〜Ｔｆ３のいずれかが、上述した「片面印刷、後処理なし」の印刷条件の場合における給紙間隔Ｔａ（用紙送り時間Ｔｐ＋標準用紙間隔Ｔｇ（６０ｍｓ））よりも短い場合には、その後処理時間Ｔｆ１〜Ｔｆ３のいずれかに対応する給紙間隔は、給紙間隔Ｔａに設定される。
【００４０】
上述したように、片面印刷の場合には、各印刷用紙毎にリニアに用紙間隔Ｔｇ’１〜Ｔｇ’３を変更することができる。よって、後処理時間が印刷用紙毎に変化したとしても、これに追従して各後処理時間分だけ給紙間隔を確保して給紙を行うことができる。
【００４１】
次に、「両面印刷、後処理あり」の印刷条件の場合における給紙制御について説明するが、この印刷条件の場合、各印刷用紙毎の後処理時間が同じ場合と、各印刷用紙毎の後処理時間が異なる場合とで各印刷用紙の給紙タイミングを算出方法が異なる。
【００４２】
まず、「両面印刷、後処理あり」の印刷条件で、かつ各印刷用紙毎の後処理時間が同じ場合における給紙制御について説明する。
【００４３】
この場合には、図６に示すように、給紙部２３から給紙間隔Ｔｄで各印刷用紙が給紙されるように制御される。給紙間隔Ｔｄは、各印刷用紙の後処理時間Ｔｆと同じ間隔である。
【００４４】
各印刷用紙の後処理時間Ｔｆは、上記と同様に、後処理装置３０の後処理時間記憶部３２から読み出されて印刷装置２０に出力され、印刷装置２０の後処理時間取得部２８によって取得される。そして、後処理時間取得部２８によって取得された後処理時間Ｔｆが、給紙タイミング設定部２９に入力され、給紙タイミング設定部２９は、入力された後処理時間Ｔｆを給紙部２３から給紙される各印刷用紙の給紙間隔Ｔｄとして設定する。
【００４５】
また、「両面印刷、後処理あり」の印刷条件の場合も、「両面印刷、後処理なし」の印刷条件の場合と同様に、給紙部２３から給紙される印刷用紙間（たとえば１枚目の印刷用紙と２枚目の印刷用紙との間）の用紙送り時間Ｔｐの間に、循環搬送路２４の反転部２６から片面印刷済用紙が給紙される。すなわち、循環搬送路２４が用紙間隔Ｔｇ’に基づいて制御され、上述した給紙タイミングで片面印刷済用紙を給紙する。
【００４６】
したがって、給紙タイミング設定部２９は、Ｔｆ＝２×（Ｔｐ＋Ｔｇ’）を満たすような用紙間隔Ｔｇ’を算出し、この用紙間隔Ｔｇ’に基づいて循環搬送路２４の反転部２６からの給紙タイミングを設定する。
【００４７】
次に、「両面印刷、後処理あり」の印刷条件で、かつ各印刷用紙毎の後処理時間が異なる場合における給紙制御について説明する。
【００４８】
この場合にも、図７に示すように、給紙部２３から各印刷用紙が給紙されるとともに、その給紙部２３から給紙される印刷用紙間の用紙送り時間Ｔｐの間に、循環搬送路２４の反転部２６から片面印刷済用紙が給紙されるが、上述した各印刷用紙毎の後処理時間が同じ場合とは、給紙部２３からの各印刷用紙の給紙間隔Ｔｄ１〜Ｔｄ３および用紙間隔Ｔｇ’の算出の方法が異なる。
【００４９】
具体的には、ｍ枚の印刷用紙について、各印刷用紙毎に異なる後処理時間Ｔｆ１〜Ｔｆｍが、上記と同様に、後処理装置３０の後処理時間記憶部３２から読み出されて印刷装置２０に出力され、印刷装置２０の後処理時間取得部２８によって取得される。そして、後処理時間取得部２８によって取得された後処理時間Ｔｆ１〜Ｔｆｍは、給紙タイミング設定部２９に入力され、上述した各印刷用紙の後処理時間が全て同じ場合と同様に、Ｔｆｉ＝２×（Ｔｐ＋Ｔｇ’ｉ），ｉ＝１〜ｍを満たすようなＴｇ’ｉを算出する。具体的には、たとえばＴｆ１＝２×（Ｔｐ＋Ｔｇ’１）を満たすようなＴｇ’１が算出され、Ｔｆ２＝２×（Ｔｐ＋Ｔｇ’２）を満たすようなＴｇ’２が算出され、以下同様にして、ｍ個の用紙間隔Ｔｇ’１〜Ｔｇ’ｍが算出される。
【００５０】
次に、給紙タイミング設定部２９は、全ての用紙間隔Ｔｇ’ｉ（ｉ＝１〜ｍ）に対して、下式を算出する。なお、ｎｊは、ｎｊ×２×（Ｔｐ＋Ｔｇ’ｉ）≧Ｔｆｊとなる最小の整数であり、Σは、ｊ＝１〜ｍの場合の累積加算である。
【００５１】
Σ（ｎｊ×２×（Ｔｐ＋Ｔｇ’ｉ）−Ｔｆｊ），ｊ＝１〜ｍ
具体的には、Ｔｇ’１〜Ｔｇ’ｍに対して下式がそれぞれ算出されて、ｍ個の累積加算値Ｖ１〜Ｖｍが算出される。
【００５２】
Σ（ｎｊ×２×（Ｔｐ＋Ｔｇ’１）−Ｔｆｊ），ｊ＝１〜ｍ
Σ（ｎｊ×２×（Ｔｐ＋Ｔｇ’２）−Ｔｆｊ），ｊ＝１〜ｍ
Σ（ｎｊ×２×（Ｔｐ＋Ｔｇ’３）−Ｔｆｊ），ｊ＝１〜ｍ
・
・
Σ（ｎｊ×２×（Ｔｐ＋Ｔｇ’ｍ）−Ｔｆｊ），ｊ＝１〜ｍ
そして、上記のようにして算出したｍ個の累積加算値Ｖ１〜Ｖｍのうちの最小の累積加算値が選択され、その累積加算値を算出した際のＴｇ’ｉが、最終的な用紙間隔Ｔｇ’として設定される。
【００５３】
そして、給紙タイミング設定部２９は、給紙部２３から給紙される各印刷用紙の給紙間隔Ｔｄ１〜Ｔｄｍとして、ｎｊ×２×（Ｔｐ＋Ｔｇ’），ｊ＝１〜ｍを算出して設定する。なお、ｎｊは、ｎｊ×２×（Ｔｐ＋Ｔｇ’）≧Ｔｆｊ，ｊ＝１〜ｍを満たす最小の整数である。
【００５４】
具体的には、たとえば給紙間隔Ｔｄ１は、ｎ１×２×（Ｔｐ＋Ｔｇ’）を算出することによって設定される。ｎ１は、ｎ１×２×（Ｔｐ＋Ｔｇ’）≧Ｔｆ１を満たす最小の整数である。また、給紙間隔Ｔｄ２は、ｎ２×２×（Ｔｐ＋Ｔｇ’）を算出することによって設定される。ｎ２は、ｎ２×２×（Ｔｐ＋Ｔｇ’）≧Ｔｆ２を満たす最小の整数である。また、給紙間隔Ｔｄ３は、ｎ３×２×（Ｔｐ＋Ｔｇ’）を算出することによって設定される。ｎ３は、ｎ３×２×（Ｔｐ＋Ｔｇ’）≧Ｔｆ３を満たす最小の整数である。
【００５５】
給紙タイミング設定部２９は、上記のようにして算出した給紙間隔Ｔｄ１〜Ｔｄｍを給紙部２３により給紙される各印刷用紙の給紙タイミングとして設定するとともに、上記のようにして最終的に算出した用紙間隔Ｔｇ’に基づいて循環搬送路２４の反転部２６からの給紙タイミングを設定する。
【００５６】
上記実施形態の印刷システム１によれば、後処理装置において両面印刷済の各印刷用紙に対して施される後処理に要する後処理時間を取得し、その取得した両面印刷済用紙毎の後処理時間に基づいて給紙部２３から給紙される印刷用紙の給紙間隔Ｔｄを設定するとともに、両面印刷済用紙毎の後処理時間に基づいて給紙部２３から給紙される印刷用紙と片面印刷済用紙との用紙間隔Ｔｇ’を算出し、その用紙間隔Ｔｇ’に基づいて片面印刷済用紙の給紙タイミングを設定するようにしたので、上述したような後処理時間に基づいて図４に示す給紙間隔Ｔｂを整数倍して給紙間隔を変更する方法と比較すると、給紙部２３から給紙される印刷用紙と片面印刷済用紙との用紙間隔Ｔｇ’を最適化することができるので、生産性の向上を図ることができる。
【００５７】
また、上記実施形態の印刷システム１において、両面印刷済用紙毎の後処理時間が互いに異なる場合に、その互いに異なる各後処理時間Ｔｆ１〜Ｔｆｍに基づいて、その各後処理時間Ｔｆ１〜Ｔｆｍに対応する用紙間隔Ｔｇ’１〜Ｔｇ’ｍをそれぞれ算出し、その算出した複数の用紙間隔Ｔｇ’１〜Ｔｇ’ｍの中から、その各用紙間隔を用いて算出された上記給紙間隔（ｎｊ×２×（Ｔｐ＋Ｔｇ’ｉ），ｊ＝１〜ｍ）とその給紙間隔に対応する後処理時間Ｔｆｊ（ｊ＝１〜ｍ）との差の合計が最小となるような用紙間隔を選択し、その選択した用紙間隔Ｔｇ’に基づいて給紙部２３から給紙される印刷用紙と片面印刷済用紙の給紙タイミングを設定するようにした場合には、各両面印刷済用紙毎に異なる後処理時間に対してより最適な用紙間隔を選択することができ、より生産性の向上を図ることができる。
【００５８】
次に、「両面印刷、後処理あり」の印刷条件で、かつ各印刷用紙毎の後処理時間が異なる場合について、上述した実施形態の方法で用紙間隔Ｔｇ’および給紙間隔Ｔｄを設定した場合の具体例と効果を説明する。ここでは、後処理としてステープル処理が施される場合について説明する。
【００５９】
まず、ステープル処理の際に各印刷済用紙に施される後処理について、片面印刷の場合を例として説明する。たとえば片面印刷で３枚単位の印刷済用紙にステープル処理を施す場合には、図８に示すように、１枚目の印刷用紙が給紙されて後処理装置３０に受け入れられた際に製合板の移動処理が行われ、２枚目の印刷用紙が給紙されて後処理装置３０に受け入れられた際に印刷済用紙の製合処理が行われ、３枚目の印刷用紙が給紙された後処理装置３０に受け入れられた際に留め処理が行われる。そして、各印刷用紙に施される後処理の後処理時間はそれぞれ異なるものであり、１枚目の印刷済用紙の後処理時間は、整合板の移動処理時間であって７３７ｍｓである。また、２枚目の印刷済用紙の後処理時間は、印刷済用紙の整合処理時間であって６３５ｍｓである。また、３枚目の印刷済用紙の後処理時間は、印刷済用紙の留め処理時間であって２７５４ｍｓである。
【００６０】
上述したような片面印刷におけるステープル処理の各処理が、両面印刷時にも行われるものとして、上述した実施形態の方法で用紙間隔Ｔｇ’および給紙間隔Ｔｄを設定した場合、図９に示すような給紙タイミングで給紙制御されることになる。なお、ここでは説明を分かりやすくするために、各印刷済用紙毎の後処理時間として、整合板の移動処理時間と印刷済用紙の整合処理時間とにのみ着目した場合について説明する。
【００６１】
具体的には、１枚目の印刷用紙の後処理時間を整合板の移動処理時間７３７ｍｓ、２枚目の後処理時間を整合処理時間６３５ｍｓ、用紙送り時間Ｔｐ＝３３２ｍｓとした場合、上記実施形態の給紙制御の方法によれば、用紙間隔Ｔｇ’は、Ｔｇ’＝（７３７ｍｓ−３３２ｍｓ）／２により算出され、１枚目の印刷用紙と２枚目の印刷用紙との給紙間隔は７３７ｍｓとなる。また、２枚目の印刷用紙と３枚目の印刷用紙との給紙間隔も７３７ｍｓとなる。すなわち、給紙を１回スキップすることになる。
【００６２】
一方、各印刷用紙の給紙間隔を２×（Ｔｐ（用紙送り時間）＋Ｔｇ（標準用紙間隔））の整数倍で変更するようにした場合、図１０に示すように、１枚目の印刷用紙と１枚目の印刷用紙との給紙間隔は、標準用紙間隔をたとえば６０ｍｓとした場合に、１２３６ｍｓとなる。すなわち、給紙を３回スキップすることになり、図９に示す本実施形態の場合と比較すると、無駄に給紙２回スキップすることになる。
【００６３】
したがって、本実施形態の給紙制御方法によれば、無駄な給紙スキップを減らすことができ、生産性を向上させることができる。
【００６４】
図１１は、図１０に示すように、各印刷済用紙の後処理時間に応じて各印刷用紙の給紙間隔を２×（Ｔｐ（用紙送り時間）＋Ｔｇ（標準用紙間隔））の整数倍で変更するようにした場合における生産性と、本発明の給紙間隔および用紙間隔の制御方法による生産性とを示す図である。なお、図１１は、各印刷済用紙の後処理時間は全て同じとし、その後処理時間と生産性との関係を示すグラフである。
【００６５】
図１１に示すように、各印刷用紙の給紙間隔を２×（Ｔｐ（用紙送り時間）＋Ｔｇ（標準用紙間隔））の整数倍で変更した場合、後処理時間がＴｐ（３３２ｍｓ）＋２Ｔｇ（６０ｍｓ）＝４５２ｍｓに一致する場合にのみ生産性が向上するので段階的なグラフとなる。これに対し、本発明によれば給紙間隔および用紙間隔を後処理時間に応じてリニアに変化させるので、後処理時間に対する生産性もリニアに変化し、より生産性が向上しているのがわかる。
【００６６】
なお、上記実施形態の印刷システム１においては、後処理装置３０における後処理時間を後処理時間記憶部３２に予め記憶しておくようにしたが、これに限らず、たとえば後処理を行う機構のアクチュエータの速度とその動作時間から後処理時間を算出するようにしてもよい。アクチュエータの速度とその動作時間については、予め記憶しておいてもよいし、印刷装置２０における給紙開始前に行われる後処理装置３０の初期化動作のタイミングにおいて実際に計測するようにしてもよい。
【符号の説明】
【００６７】
１     印刷システム
１０   コンピュータ
２０   印刷装置
２１   インクヘッド部
２２   給紙トレイ
２３   給紙部
２４   循環搬送路
２５   連絡路
２６   反転部
２７   制御部
２８   後処理時間取得部
２９   給紙タイミング設定部
３０   後処理装置
３１   制御部
３２   後処理時間記憶部
【図１】
2014073630.tif 000003
【図２】
2014073630.tif 000004
【図３】
2014073630.tif 000005
【図４】
2014073630.tif 000006
【図５】
2014073630.tif 000007
【図６】
2014073630.tif 000008
【図７】
2014073630.tif 000009
【図８】
2014073630.tif 000010
【図９】
2014073630.tif 000011
【図１０】
2014073630.tif 000012
【図１１】
2014073630.tif 000013
【図１２】
2014073630.tif 000014